(57)【要約】【課題】安価に製造できるとともに、保温性を有する掛け布団カバー又は掛け布団を提案する。【解決手段】  表側被覆部材２と裏側被覆部材３を有し、前記表側被覆部材２を、シート状の表側部材５と、該表側部材５の内側に配設し、かつ、水の透過を防止するシート状の水透過防止部材６を、ラミネート加工により積層して構成した。【選択図】  図１
0003221715.tif 000002
【実用新案登録請求の範囲】
【請求項１】
表側被覆部材と裏側被覆部材を有し、
前記表側被覆部材を、シート状の表側部材と、該表側部材の内側に配設し、かつ、水の透過を防止するシート状の水透過防止部材を、ラミネート加工により積層して構成したことを特徴とする掛け布団カバー又は掛け布団。
【請求項２】
前記裏側被覆部材は、その少なくとも一部が水分子を吸着することにより発熱する部材で構成されていることを特徴とする請求項１記載の掛け布団カバー又は掛け布団。
【請求項３】
前記水透過防止部材は、通気性を有することを特徴とする請求項１又は２記載の掛け布団カバー又は掛け布団。
【請求項４】
前記掛け布団カバーは、こたつ用掛け布団カバーであることを特徴とする請求項１又は２又は３記載の掛け布団カバー又は掛け布団。
【請求項５】
前記掛け布団カバーは、寝具用掛け布団カバーであることを特徴とする請求項１又は２又は３記載の掛け布団カバー又は掛け布団。
【考案の詳細な説明】
【技術分野】
【０００１】
本考案は、掛け布団カバー又は掛け布団に関するものである。
【背景技術】
【０００２】
従来、こたつ用掛け布団として、表裏面を構成する２枚のシート状の布帛を有し、このシート状の布帛のうち少なくとも一方の布帛の内側面に、アルミニウムを蒸着させることにより、こたつで発せられた熱の保温性を高めたものが知られている。
【考案の概要】
【考案が解決しようとする課題】
【０００３】
しかし、前記従来のこたつ用掛け布団は、シート状の布帛のうち少なくとも一方の布帛の内側面に、アルミニウムを蒸着させる必要があることから、大掛かりな設備が必要となる問題がある。
【０００４】
そこで、本考案は、上記従来のこたつ用掛け布団と比較して安価に製造できるとともに、保温性を有する掛け布団カバー又は掛け布団を提供することを目的とするものである。
【課題を解決するための手段】
【０００５】
前記の課題を解決するために、請求項１記載の考案は、表側被覆部材と裏側被覆部材を有し、
前記表側被覆部材を、シート状の表側部材と、該表側部材の内側に配設し、かつ、水の透過を防止するシート状の水透過防止部材を、ラミネート加工により積層して構成したことを特徴とするものである。
【０００６】
請求項２記載の考案は、請求項１記載の考案において、前記裏側被覆部材は、その少なくとも一部が水分子を吸着することにより発熱する部材で構成されていることを特徴とするものである。
【０００７】
請求項３記載の考案は、請求項１又は２記載の考案において、前記水透過防止部材は、通気性を有することを特徴とするものである。
【０００８】
請求項４記載の考案は、請求項１又は２又は３記載の考案において、前記掛け布団カバーは、こたつ用掛け布団カバーであることを特徴とするものである。
【０００９】
請求項５記載の考案は、請求項１又は２又は３記載の考案において、前記掛け布団カバーは、寝具用掛け布団カバーであることを特徴とするものである。
【考案の効果】
【００１０】
本考案の掛け布団カバー又は掛け布団によれば、その表側被覆部材を、シート状の表側部材と、該表側部材の内側に配設し、かつ、水の透過を防止するシート状の水透過防止部材を、ラミネート加工により積層して構成したことにより、大掛かりな設備を必要とせずに製造でき、上記従来技術と比較して製造コストを低く抑えることができる。また、内側で生じた熱を水透過防止部材により反射し、外側に放射される熱を低減し、保温性を高めることができる。
【図面の簡単な説明】
【００１１】
【図１】本考案の実施例１における掛け布団カバーの一部の縦断面図。
【図２】本考案の実施例２における掛け布団の一部の縦断面図。
【考案を実施するための形態】
【００１２】
本考案を実施するための形態を図に基づいて説明する。
【００１３】
［実施例１］
図１は、本考案の掛け布団カバー１の一部の縦断面図である。
【００１４】
本考案の掛け布団カバー１は、こたつ用掛け布団カバーとしても、寝具用掛け布団カバーとしても使用することができる。
【００１５】
本考案の掛け布団カバー１は、図１に示すように、シート状に形成された表側被覆部材２と、シート状に形成された裏側被覆部材３を有している。表側被覆部材２と裏側被覆部材３は、夫々の周縁部２ａ，３ａ同士を縫合して袋状に形成され、その内部には中空部４が形成されるとともに、周縁部２ａ，３ａには外部から中空部４内へ中綿等を挿入するための入口（図示せず）が、ファスナー等により部分的に開閉可能に設けられている。
【００１６】
表側被覆部材２は、表面側に配設され、かつ、任意の布帛でシート状に形成された表側部材５と、この表側部材５の裏面側に配設され、かつ、水の透過を防止するシート状に形成された水透過防止部材６で構成され、表側部材５とはラミネート加工により張り合わされ、積層して形成されている。
【００１７】
表側部材５は、任意の布帛で構成することができるが、伸縮性を有することが好ましい。
【００１８】
水透過防止部材６は、表裏方向への水の透過を防止する樹脂等で形成され、その厚みは、水の透過を防止できれば任意の厚みに設定することができる。また、水透過防止部材６は、通気性及び伸縮性を有することが好ましく、本実施ではポリウレタン樹脂で構成した。
【００１９】
裏側被覆部材３は、その少なくともその一部に、水分子を吸着することにより発熱する繊維等の部材を用いて形成され、本実施例ではレーヨンで構成した。
【００２０】
表側被覆部材２の内側に水透過防止部材６を設けたことにより、例えば、掛け布団カバー１をこたつ用掛け布団カバーとして使用した場合に、こたつの熱発生部で発生した熱の一部が、水透過防止部材６により反射されて、表側被覆部材２を通過して外部へ放射される熱量を減少し、保温性を高めることができる。
【００２１】
また、表側被覆部材２の内側に水透過防止部材６を配設したことにより、掛け布団カバー１の使用中に、飲み物等の液体をこぼした際にも、その液体が水透過防止部材６により、それより内側方向へ透過せず、こぼした液体を容易に拭き取ることができる。
【００２２】
表側被覆部材２において、水透過防止部材６の表面側に表側部材５を設けたことにより、使用中に、使用者により視認される表側部材５を任意の部材で構成することができるため、水透過防止部材６を表側被覆部材２の表面側に配置したものと比較して、掛け布団カバー１の美観を向上させることができる。
【００２３】
また、裏側被覆部材３と表側部材５を起毛させて、掛け布団カバー１を毛布として使用してもよい。
【００２４】
［実施例２］
上記実施例１の掛け布団カバー１においては、表側被覆部材２と裏側被覆部材３の周縁部に、中空部４内へ中綿等を挿入するための入口を形成したが、この入口を形成することなく、図２に示すように、中空部４内に中綿１０を配設して、掛け布団１１を構成するようにしてもよい。中綿１０を、中空部４内に直接充填するようにしてもよいし、中綿用包装袋内に中綿１０を充填したものを中空部４内に挿入してもよい。
【００２５】
それ以外の構造は、前記実施例１と同様であるのでその説明を省略する。
【００２６】
本実施例２においても前記実施例１と同様の効果を奏する。
【符号の説明】
【００２７】
１  掛け布団カバー
２  表側被覆部材
３  裏側被覆部材
５  表側部材
６  水透過防止部材
１１  掛け布団
【図１】
0003221715.tif 000003
【図２】
0003221715.tif 000004